(57)【要約】【課題】波長変換層を効率よく冷却できる波長変換装置、照明装置及びプロジェクターを提供すること。【解決手段】回転装置と、回転装置により回転する基材と、を備え、基材は、基材の第１面に環状に設けられた波長変換層と、基材において第１面と第１面とは反対側の面である第２面とを結ぶ方向に貫通する貫通孔と、を有し、貫通孔は、波長変換層において環状の中心側の縁である内縁と、環状の中心側とは反対側の縁である外縁との少なくとも一方に沿って配置されている波長変換装置。【選択図】図４
2017116629.tif 000002
【特許請求の範囲】
【請求項１】
回転装置と、
前記回転装置により回転する基材と、を備え、
前記基材は、
前記基材の第１面に環状に設けられた波長変換層と、
前記基材において前記第１面と前記第１面とは反対側の面である第２面とを結ぶ方向に貫通する貫通孔と、を有し、
前記貫通孔は、前記波長変換層において前記環状の中心側の縁である内縁と、前記環状の中心側とは反対側の縁である外縁との少なくとも一方に沿って配置されていることを特徴とする波長変換装置。
【請求項２】
請求項１に記載の波長変換装置において、
前記基材は、前記貫通孔を複数有していることを特徴とする波長変換装置。
【請求項３】
請求項１に記載の波長変換装置において、
前記貫通孔は、前記波長変換層において前記環状の中心側の縁である内縁と、前記環状の中心側とは反対側の縁である外縁との少なくとも一方に沿う形状であることを特徴とする波長変換装置。
【請求項４】
請求項１から請求項３のいずれか一項に記載の波長変換装置において、
前記貫通孔は、前記回転装置による前記基材の回転軸に沿う方向に対して傾斜していることを特徴とする波長変換装置。
【請求項５】
請求項４に記載の波長変換装置において、
前記貫通孔は、前記基材において、前記第１面から前記第１面の反対側の第２面に向かうに従って、前記波長変換層側に傾斜していることを特徴とする波長変換装置。
【請求項６】
請求項４又は請求項５に記載の波長変換装置において、
前記貫通孔は、前記回転軸を中心とする円周方向における当該回転軸の回転方向とは反対方向に傾斜していることを特徴とする波長変換装置。
【請求項７】
請求項１から請求項６のいずれか一項に記載の波長変換装置と、
前記波長変換装置の前記波長変換層に入射される励起光を出射する光源と、を備え、
前記波長変換層は、入射される前記励起光を異なる波長の光に変換することを特徴とする照明装置。
【請求項８】
請求項７に記載の照明装置において、
前記波長変換装置に冷却気体を流通させる冷却装置を備えることを特徴とする照明装置。
【請求項９】
請求項７又は請求項８に記載の照明装置と、
前記照明装置から出射された光を変調する光変調装置と、
前記光変調装置によって変調された光を投射する投射光学装置と、を備えることを特徴とするプロジェクター。
【発明の詳細な説明】
【技術分野】
【０００１】
本発明は、波長変換装置、照明装置及びプロジェクターに関する。
【背景技術】
【０００２】
従来、固体光源から出射された励起光を波長変換し、蛍光として出射する光源装置が知られている（例えば、特許文献１参照）。
この特許文献１に記載の光源装置は、蛍光発光板と、半導体レーザーを備える。これらのうち、蛍光発光板は、当該蛍光発光板上に形成された蛍光体層と、当該蛍光体層を回転させるモーターとを備える。この蛍光体層は、半導体レーザーから出射された励起光の一部を励起光とは異なる波長の光に変換して蛍光を生成する。
【先行技術文献】
【特許文献】
【０００３】
【特許文献１】特開２０１２−１３７７４４号公報
【発明の概要】
【発明が解決しようとする課題】
【０００４】
ところで、蛍光体層の温度が上昇した場合に、固体光源から入射された光の波長変換効率が低下することが知られている。このため、上記特許文献１に記載の波長変換装置では、円板状の蛍光発光板を回転させることにより、当該蛍光発光板上に形成された蛍光体層を冷却している。
しかしながら、例えば半導体レーザーの出力が比較的大きい場合等に、当該蛍光発光板を回転させても、蛍光体層の熱を十分に放熱できない可能性がある。すなわち、上記特許文献１に記載の波長変換装置では、蛍光体層を十分に冷却できない可能性があり、当該蛍光体層による波長変換効率が低下するおそれがある。
【０００５】
本発明は、上記課題の少なくとも１つを解決するものであり、波長変換効率の低下を抑制できる波長変換装置、照明装置及びプロジェクターを提供することを目的とする。
【課題を解決するための手段】
【０００６】
本発明の第１態様に係る波長変換装置は、回転装置と、前記回転装置により回転する基材と、を備え、前記基材は、前記基材の第１面に環状に設けられた波長変換層と、前記基材において前記第１面と前記第１面とは反対側の面である第２面とを結ぶ方向に貫通する貫通孔と、を有し、前記貫通孔は、前記波長変換層において前記環状の中心側の縁である内縁と、前記環状の中心側とは反対側の縁である外縁との少なくとも一方に沿って配置されていることを特徴とする。
【０００７】
なお、上記波長変換層としては、蛍光体を含んで構成され、入射された光の波長を変換する波長変換層を例示できる。
上記第１態様によれば、基材を回転装置の回転軸に沿う方向に貫通する貫通孔が形成されている。これにより、回転装置の駆動により基材が回転すると、冷却気体が当該貫通孔を流通して、当該貫通孔の端縁、ひいては、波長変換層の内縁又は外縁の少なくともいずれかの近傍を効率よく冷却できるので、波長変換層を効率よく冷却できる。従って、基材を効率よく冷却できることから、当該基材に位置する波長変換層を効率よく冷却でき、熱による波長変換層の波長変換効率の低下を抑制できる。
【０００８】
上記第１態様では、前記基材は、前記貫通孔を複数有していることが好ましい。
上記第１態様によれば、基材の波長変換層の内縁及び外縁の少なくとも一方に沿って複数の貫通孔が基材に形成されているので、例えば、基材に貫通孔が１つ設けられている場合に比べて、貫通孔を流通する冷却気体の流量を多くできる。従って、波長変換装置の波長変換効率の低下をより抑制できる。
【０００９】
上記第１態様では、前記貫通孔は、前記波長変換層において前記環状の中心側の縁である内縁と、前記環状の中心側とは反対側の縁である外縁との少なくとも一方に沿う形状であることが好ましい。
上記第１態様によれば、基材の波長変換層の内縁及び外縁の少なくとも一方に沿った形状の貫通孔が当該基材に形成されているので、基材における波長変換層近傍の略全領域を冷却気体が流通する。これによれば、基材の波長変換層の近傍を効率よく冷却できるので、波長変換層を効率よく冷却できる。従って、波長変換装置の波長変換効率の低下をより抑制できる。
【００１０】
上記第１態様では、前記貫通孔は、前記回転装置による前記基材の回転軸に沿う方向に対して傾斜していることが好ましい。
上記第１態様によれば、貫通孔が上記回転軸に沿う方向に対して傾斜しているので、当該貫通孔が回転軸に沿う方向に対して傾斜していない場合に比べて、当該貫通孔の表面積を拡大できる。これによれば、冷却気体が貫通孔を流通する際に基材が冷却される領域を拡大できるので、波長変換層をより効率よく冷却できる。
【００１１】
上記第１態様では、前記貫通孔は、前記基材において、前記第１面から前記第１面の反対側の第２面に向かうに従って、前記波長変換層側に傾斜していることが好ましい。
なお、上記波長変換層側とは、第１面における貫通孔の開口部よりも第２面における貫通孔の開口部が上記第１面の開口部に最も近い波長変換層の一端側を意味する。
上記第１態様によれば、貫通孔が第１面から第２面に向かうに従って波長変換層側に傾斜しているので、波長変換層近傍の領域に貫通孔を形成できることから、基材における波長変換層近傍の領域に冷却気体を確実に流通させることができるので、波長変換層の冷却効率を更に高めることができる。
【００１２】
上記第１態様では、前記貫通孔は、前記回転軸を中心とする円周方向における当該回転軸の回転方向とは反対方向に傾斜していることが好ましい。
上記第１態様によれば、貫通孔が上記回転軸を中心とする円周方向における回転軸の回転方向とは反対方向に傾斜しているので、基材がファンにおける羽根のように機能して、当該基材の回転時に基材近傍の冷却気体を貫通孔において掻き出すことにより、当該気体を貫通孔内に確実に流通させることができる。これによれば、貫通孔内を確実に冷却気体が流通するので、波長変換層を確実に冷却できる。
【００１３】
本発明の第２態様に係る照明装置は、上記波長変換装置と、前記波長変換装置の前記波長変換層に入射される励起光を出射する光源と、を備え、前記波長変換層は、入射される前記励起光を異なる波長の光に変換することを特徴とする。
上記第２態様によれば、上記第１態様に係る波長変換装置と同様の効果を奏することができる。また、波長変換装置の波長変換効率の低下を抑制できるので、波長変換層によって生じる蛍光光の光量の低下を抑制でき、光源からの光の利用効率を向上させることができる。従って、上記波長変換装置を備えた照明装置は、信頼性が高く、温度影響を受けない安定した拡散特性及び位相差特性を得ることができるので、当該照明装置の信頼性及び安定性を高くできる。
【００１４】
上記第２態様では、前記波長変換装置に冷却気体を流通させる冷却装置を備えることが好ましい。
上記第２態様によれば、波長変換装置を冷却した冷却気体を冷却装置により流通させるので、確実に冷却気体が波長変換装置の貫通孔を流通する。これによれば、波長変換装置、ひいては、照明装置を確実に冷却できる。
【００１５】
本発明の第３態様に係るプロジェクターは、上記照明装置と、前記照明装置から出射された光を変調する光変調装置と、前記光変調装置によって変調された光を投射する投射光学装置と、を備えることを特徴とする。
上記第３態様によれば、上記第１態様に係る波長変換装置及び上記第２態様に係る照明装置と同様の効果を奏することができる。また、上記波長変換装置を備えた照明装置は、信頼性が高く、温度影響を受けない安定した拡散特性及び位相差特性を得ることができるので、当該照明装置を備えたプロジェクターの信頼性及び安定性を高くできる。
【図面の簡単な説明】
【００１６】
【図１】本発明の第１実施形態に係るプロジェクターの概略図。
【図２】上記第１実施形態に係るプロジェクターの照明装置の概略図。
【図３】上記第１実施形態に係る照明装置における波長変換装置を光の入射側から見た平面図。
【図４】上記第１実施形態に係る波長変換装置の断面図。
【図５】上記第１実施形態に係る波長変換装置の冷却装置を示す概略図。
【図６】本発明の第２実施形態に係るプロジェクターの照明装置における波長変換装置の断面図。
【図７】本発明の第３実施形態に係るプロジェクターの照明装置における波長変換装置を光の入射側から見た平面図。
【図８】本発明の第４実施形態に係るプロジェクターの照明装置における波長変換装置を光の入射側から見た平面図。
【発明を実施するための形態】
【００１７】
［第１実施形態］
以下、本発明の第１実施形態について、図面に基づいて説明する。
［プロジェクターの概略構成］
図１は、本実施形態に係るプロジェクター１の構成を示す模式図である。
プロジェクター１は、内部に設けられた光源から出射された光束を変調して画像情報に応じた画像を形成し、当該画像をスクリーンＳＣ１等の被投射面上に拡大投射する表示装置である。
このプロジェクター１は、図１に示すように、外装筐体２と、当該外装筐体２内に収納される光学ユニット３、当該プロジェクター１を制御する制御装置ＣＵの他、図示を省略するが、冷却対象を冷却する冷却装置、及び当該プロジェクター１を構成する電子部品に電力を供給する電源装置を備える。また、プロジェクター１は、色合成装置に入射される光の成分比率に応じて、投射光学装置から投射される画像の色域を変化させる機能を有する。
【００１８】
［光学ユニットの構成］
光学ユニット３は、照明装置３１、色分離装置３２、平行化レンズ３３、複数の光変調装置３４、色合成装置３５、及び投射光学装置３６を備える。
照明装置３１は、照明光ＷＬを出射する。なお、照明装置３１の構成については、後述する。
色分離装置３２は、照明装置３１から入射された照明光ＷＬを赤色光ＬＲ、緑色光ＬＧ及び青色光ＬＢの３つの色光に分離する。この色分離装置３２は、ダイクロイックミラー３２１，３２２、全反射ミラー３２３，３２４，３２５及びリレーレンズ３２６，３２７を備える。
【００１９】
ダイクロイックミラー３２１は、照明装置３１からの照明光ＷＬから青色光ＬＢ及びその他の色光（緑色光ＬＧ及び赤色光ＬＲ）を含む光を分離する。ダイクロイックミラー３２１は、青色光ＬＢを透過させるとともに、緑色光ＬＧ及び赤色光ＬＲを含む上記光を透過させる。
ダイクロイックミラー３２２は、ダイクロイックミラー３２１により分離された上記光から緑色光ＬＧ及び赤色光ＬＲを分離する。具体的に、ダイクロイックミラー３２２は、緑色光ＬＧを反射するとともに、赤色光ＬＲを透過させる。
【００２０】
全反射ミラー３２３は、青色光ＬＢの光路中に配置され、ダイクロイックミラー３２１にて透過された青色光ＬＢを光変調装置３４（３４Ｂ）に向けて反射させる。一方、全反射ミラー３２４，３２５は、赤色光ＬＲの光路中に配置され、ダイクロイックミラー３２２を透過した赤色光ＬＲを光変調装置３４（３４Ｒ）に向けて反射させる。また、緑色光ＬＧは、ダイクロイックミラー３２２にて、光変調装置３４（３４Ｇ）に向けて反射される。
リレーレンズ３２６，３２７は、赤色光ＬＲの光路の、ダイクロイックミラー３２２の下流に配置されている。これらリレーレンズ３２６，３２７は、赤色光ＬＲの光路長が青色光ＬＢや緑色光ＬＧの光路長よりも長くなることによる赤色光ＬＲの光損失を補償する機能を有する。
【００２１】
平行化レンズ３３は、後述する光変調装置３４に入射する光を平行化する。なお、赤、緑及び青の各色光用の平行化レンズを、それぞれ３３Ｒ，３３Ｇ，３３Ｂとする。また、赤、緑及び青の各色光用の光変調装置を、それぞれ３４Ｒ，３４Ｇ，３４Ｂとする。
【００２２】
複数の光変調装置３４（３４Ｒ，３４Ｇ，３４Ｂ）は、ダイクロイックミラー３２１及びダイクロイックミラー３２２により分離され、それぞれ入射される各色光ＬＲ，ＬＧ，ＬＢを変調して、画像情報に応じた色画像を形成する。これら光変調装置３４は、入射される光を変調する液晶パネルにより構成される。なお、光変調装置３４Ｒ，３４Ｇ，３４Ｂの入射側及び出射側にはそれぞれ、入射側偏光板３４１（３４１Ｒ，３４１Ｇ，３４１Ｂ）及び出射側偏光板３４２（３４２Ｒ，３４２Ｇ，３４２Ｂ）が配置されている。
【００２３】
色合成装置３５には、各光変調装置３４Ｒ，３４Ｇ，３４Ｂからの画像光が入射される。この色合成装置３５は、各色光ＬＲ，ＬＧ，ＬＢに対応した画像光を合成し、この合成された画像光を投射光学装置３６に向けて出射させる。本実施形態では、色合成装置３５は、クロスダイクロイックプリズムにより構成される。
投射光学装置３６は、色合成装置３５にて合成された画像光をスクリーンＳＣ１等の被投射面に投射する。このような構成により、スクリーンＳＣ１に拡大された画像が投射される。
【００２４】
［照明装置の構成］
図２は、本実施形態のプロジェクター１における照明装置３１の構成を示す概略図である。
照明装置３１は、前述したように照明光ＷＬを色分離装置３２に向けて出射する。この照明装置３１は、図２に示すように、光源装置４及び均一化装置５を備える。この光源装置４は、均一化装置５に向けて青色光及び蛍光を出射させ、均一化装置５は、当該入射された青色光及び蛍光を均一化し、照明光ＷＬとして色分離装置３２に向けて出射させる。
【００２５】
［光源装置の構成］
光源装置４は、図２に示すように、光源部４１、アフォーカルレンズ４２、ホモジナイザー光学系４３、第１位相差板４４、偏光分離装置４５、第２位相差板４６、第３位相差板４７、蛍光反射装置６及び青色光反射装置８を備える。
光源部４１は、アレイ光源４１１及びコリメータ光学系４１２を備える。このアレイ光源４１１は、本発明の光源に相当する複数の半導体レーザー４１１１により構成される。具体的に、アレイ光源４１１は、当該アレイ光源４１１から出射される光束の照明光軸Ａｘ１に直交する一平面内に複数の半導体レーザー４１１１がアレイ状に配列されることにより形成される。なお、詳しくは後述するが、蛍光反射装置６にて反射された光束の照明光軸をＡｘ２としたとき、照明光軸Ａｘ１と照明光軸Ａｘ２とは同一平面内にあり、且つ互いに直交している。照明光軸Ａｘ１上においては、アレイ光源４１１と、コリメータ光学系４１２と、アフォーカルレンズ４２と、ホモジナイザー光学系４３と、第１位相差板４４と、偏光分離装置４５と、第２位相差板４６と、青色光反射装置８とが、この順に並んで配置されている。
一方、照明光軸Ａｘ２上においては、蛍光反射装置６（波長変換装置７及びピックアップ光学系６１）と、偏光分離装置４５と、均一化装置５（アフォーカル装置５１、第１レンズアレイ５２、第２レンズアレイ５３及び重畳レンズ５４）とが、この順に並んで配置されている。
【００２６】
アレイ光源４１１を構成する半導体レーザー４１１１は、例えば、４４５ｎｍの波長領域にピーク波長を有する励起光（青色光ＢＬ）を出射する。また、半導体レーザー４１１１から出射される青色光ＢＬは、ｓ偏光及びｐ偏光を含むランダムな直線偏光であり、アフォーカルレンズ４２に向けて出射される。そして、このアレイ光源４１１から出射された青色光ＢＬは、コリメータ光学系４１２に入射される。
【００２７】
コリメータ光学系４１２は、アレイ光源４１１から出射された青色光ＢＬを平行光に変換する。このコリメータ光学系４１２は、例えば各半導体レーザー４１１１に対応してアレイ状に配置された複数のコリメータレンズ４１２１を備える。このコリメータ光学系４１２を通過することにより平行光に変換された青色光ＢＬは、アフォーカルレンズ４２に入射される。
アフォーカルレンズ４２は、コリメータ光学系４１２から入射された青色光ＢＬの光束径を調整する。このアフォーカルレンズ４２は、レンズ４２１と、レンズ４２２とを備え、青色光ＢＬは、レンズ４２１により集光され、レンズ４２２により平行化されて、ホモジナイザー光学系４３に入射する。
【００２８】
ホモジナイザー光学系４３は、被照明領域における青色光ＢＬによる照度分布を均一化する。このホモジナイザー光学系４３は、一対のマルチレンズアレイ４３１，４３２を備える。このホモジナイザー光学系４３から出射された青色光ＢＬは、第１位相差板４４に入射される。
第１位相差板４４は、ホモジナイザー光学系４３と偏光分離装置４５との間に配置され、入射される青色光ＢＬの偏光方向を略９０°回転させる。本実施形態では、第１位相差板４４は、λ／２波長板により構成される。この第１位相差板４４に入射された青色光ＢＬは、偏光方向が略９０°回転され、ｐ偏光成分の青色光ＢＬｐ及びｓ偏光成分の青色光ＢＬｓに分離され、偏光分離装置４５に入射される。
【００２９】
［偏光分離装置の構成］
偏光分離装置４５は、いわゆるプリズム型の偏光ビームスプリッターであり、ｐ偏光及びｓ偏光のうち、一方の偏光光を通過させ、他方の偏光光を反射させる。この偏光分離装置４５は、プリズム４５１，４５２及び偏光分離層４５３を備える。これらプリズム４５１，４５２は、略三角柱形状に形成され、それぞれ照明光軸Ａｘ１に対して４５°の角度をなす傾斜面を有し、かつ、照明光軸Ａｘ２に対して４５°の角度をなしている。
【００３０】
偏光分離層４５３は、上記傾斜面に設けられ、当該偏光分離層４５３に入射した青色光ＢＬｐ，ＢＬｓをｐ偏光成分の青色光ＢＬｐとｓ偏光成分の青色光ＢＬｓとに分離する偏光分離機能を有する。この偏光分離層４５３は、ｓ偏光成分の青色光ＢＬｓを反射させ、ｐ偏光成分の青色光ＢＬｐを透過させる。また、偏光分離層４５３は、当該偏光分離層４５３に入射した光のうち、第１の波長帯（青色光ＢＬｓ，ＢＬｐの波長帯）とは異なる第２の波長帯（蛍光ＹＬ）の光を、その偏光状態にかかわらず透過させる色分離機能を有する。なお、偏光分離装置４５は、プリズム型のものに限らず、プレート型の偏光分離装置を用いてもよい。
そして、偏光分離層４５３に入射した青色光ＢＬｐ，ＢＬｓのうち、ｓ偏光成分の青色光ＢＬｓは、励起光ＢＬｓとして、蛍光反射装置６に向けて反射される。
【００３１】
［蛍光反射装置の構成］
蛍光反射装置６は、偏光分離装置４５から入射されたｓ偏光成分の青色光（励起光）ＢＬｓを蛍光ＹＬに変換し、当該偏光分離装置４５に向けて反射させる。この蛍光反射装置６は、ピックアップ光学系６１及び波長変換装置７を備える。これらのうち、ピックアップ光学系６１は、励起光ＢＬｓを波長変換装置７の波長変換層７２に向けて集光させる。このピックアップ光学系６１は、レンズ６１１、レンズ６１２及びレンズ６１３を備える。具体的に、ピックアップ光学系６１は、入射された複数の光束（励起光ＢＬｓ）を後述する波長変換層７２に向けて集光させるとともに、当該波長変換層７２上で互いに重畳させる。
この波長変換層７２により青色光ＢＬｓは、蛍光ＹＬに変換され、再度ピックアップ光学系６１に入射され、当該ピックアップ光学系６１を介して偏光分離装置４５に入射される。
なお、波長変換装置７の構成については、後述する。
【００３２】
一方、偏光分離層４５３に入射した青色光ＢＬｐ，ＢＬｓのうち、ｐ偏光成分の青色光ＢＬｐは、当該偏光分離層４５３を透過し、第２位相差板４６に入射される。
第２位相差板４６は、青色光反射装置８と偏光分離装置４５との間に配置され、入射されるｐ偏光成分の青色光ＢＬｐを円偏光に変換させる。本実施形態では、この第２位相差板４６は、λ／４波長板により構成される。そして、第２位相差板４６により円偏光に変換された青色光ＢＬｐは、青色光反射装置８に入射される。
【００３３】
［青色光反射装置の構成］
青色光反射装置８は、偏光分離装置４５から入射されたｐ偏光成分の青色光ＢＬｐを拡散させて、当該偏光分離装置４５に向けて反射させる。この青色光反射装置８は、ピックアップ光学系８１と、拡散反射装置８２とを備える。これらのうち、ピックアップ光学系８１は、励起光ＢＬｐを拡散反射装置８２の拡散反射層８２２に向けて集光させる。このピックアップ光学系８１は、レンズ８１１、レンズ８１２及びレンズ８１３を備える。具体的に、ピックアップ光学系８１は、入射された複数の光束（励起光ＢＬｐ）を後述する拡散反射層８２２に向けて集光させるとともに、当該拡散反射層８２２上で互いに重畳させる。
【００３４】
拡散反射装置８２は、入射された青色光ＢＬｐを拡散させて反射させる機能を有する。この拡散反射装置８２は、基材８２１、拡散反射層８２２及びモーター８２３を備える。基材８２１は、略円板状の基材により構成され、当該基材８２１のピックアップ光学系８１側の面には、拡散反射層８２２が形成されている。この拡散反射層８２２は、入射された光を散乱させて反射させる機能を有する。
モーター８２３は、基材８２１の上記拡散反射層８２２が設けられた側とは反対方向側に取り付けられ、当該モーター８２３の駆動により基材８２１が回転する。これにより、拡散反射層８２２が冷却される。
このような構成により、拡散反射装置８２に入射された青色光ＢＬｐは、拡散反射層８２２に入射され、当該拡散反射層８２２により拡散（散乱）され、ピックアップ光学系８１に向けて出射される。そして、上記青色光ＢＬｐは、ピックアップ光学系８１により集光されて、第２位相差板４６に再度入射される。これにより、青色光ＢＬｐは、拡散反射層８２２により回転方向が反転されて、第２位相差板４６に入射され、偏光方向が円偏光から直線偏光に変換される。このため、拡散反射層８２２により反射された青色光ＢＬｐは、ｓ偏光成分の青色光ＢＬｓとして出射される。そして、青色光ＢＬｓは、偏光分離装置４５に入射される。
【００３５】
拡散反射装置８２及びピックアップ光学系８１を介して偏光分離装置４５に入射された青色光ＢＬｓは、偏光分離層４５３に反射され、当該偏光分離装置４５のプリズム４５２側から出射され、第３位相差板４７に入射される。
一方、偏光分離装置４５に入射された蛍光ＹＬは、偏光分離層４５３を介して、当該偏光分離装置４５のプリズム４５２側から出射され、上記第３位相差板４７に入射される。
第３位相差板４７は、偏光分離装置４５と均一化装置５との間に配置され、入射される青色光ＢＬｓ及び蛍光ＹＬの偏光方向を略９０°回転させる。本実施形態では、第３位相差板４７は、λ／２波長板により構成される。この第３位相差板４７に入射された青色光ＢＬｓは、偏光方向が略９０°回転され、ｐ偏光成分の青色光ＢＬｐとして、均一化装置５に向けて出射される。また、蛍光ＹＬは、励起光ＢＬｓに基づく光であるため、ｓ偏光成分の光である。このため、第３位相差板４７に入射された蛍光ＹＬは、ｐ偏光成分の蛍光ＹＬとして、均一化装置５に向けて出射される。
【００３６】
［均一化装置の構成］
均一化装置５は、光源装置４から出射された青色光ＢＬ及び蛍光ＹＬを均一化する機能を有する。この均一化装置５は、図２に示すように、アフォーカル装置５１、第１レンズアレイ５２、第２レンズアレイ５３及び重畳レンズ５４を備える。
これらのうち、アフォーカル装置５１は、光源装置４から入射された蛍光ＹＬ及び青色光ＢＬのビーム系を拡大する機能を有する。具体的に、このアフォーカル装置５１は、光源装置４を介して入射された蛍光ＹＬ及び青色光ＢＬに基づいて、第２レンズアレイ５３の第２レンズ５３１上に表示される光源像の大きさを調整する。
このアフォーカル装置５１は、凹レンズ５１１及び凸レンズ５１２からなるアフォーカルレンズにより構成される。凹レンズ５１１は、入射された蛍光ＹＬ及び青色光ＢＬを拡散させ、凸レンズ５１２に向けて出射させる。凸レンズ５１２は、凹レンズ５１１から拡散されて入射された蛍光ＹＬ及び青色光ＢＬを平行化して第１レンズアレイ５２に向けて出射させる。
【００３７】
第１レンズアレイ５２は、アフォーカル装置５１から出射された光（光束）の中心軸（上記照明光軸Ａｘ２）に対する直交面内にアレイ状に配列された複数の第１レンズ５２１を有する。この第１レンズアレイ５２は、第１レンズアレイ５２の複数の第１レンズ５２１により、当該第１レンズアレイ５２に入射された光束を複数の部分光束に分割する。
第２レンズアレイ５３は、上記照明光軸Ａｘ１に対する直交面内にアレイ状に配列された第１レンズアレイ５２の複数の第１レンズ５２１に応じた複数の第２レンズ５３１を有する。この第２レンズアレイ５３は、複数の第２レンズ５３１により、第１レンズ５２１により分割された部分光束を被照明領域としての重畳レンズ５４に重畳させる。
【００３８】
重畳レンズ５４は、照明光ＷＬを被照明領域において重畳させることにより、被照明領域の照度分布を均一化する。このようにして、蛍光ＹＬ及び青色光ＢＬは、重畳レンズ５４により合成され、照度分布が均一化された照明光ＷＬとして、照明装置３１からダイクロイックミラー３２１に向けて出射される。
【００３９】
［波長変換装置の構成］
図３は、波長変換装置７を偏光分離装置４５側から見た平面図である。
波長変換装置７は、図２及び図３に示すように、基材７１及びモーター７５を備える。
基材７１は、略円板状に形成されている。この基材７１は、当該基材７１の偏光分離装置４５側（ピックアップ光学系６１）の第１面７１１と、当該第１面７１１に対向する第２面７１２と、を有する。また、基材７１の略中央部分には、開口部７１３が形成されている。この開口部７１３には、モーター７５の一部が嵌め込まれる。なお、上記基材７１は、アルミニウムにより構成され、当該基材７１の厚さ寸法は、略１ｍｍに設定されている。
また、上記第１面７１１及び第２面７１２のうち、ピックアップ光学系６１に対向する面である第１面７１１には、波長変換層７２が配置されている。
【００４０】
波長変換層７２は、上述したように基材７１の第１面７１１に配置される。具体的に、波長変換層７２は、例えば、マスク印刷法により環状に印刷され、基材７１の開口部７１３の外側に形成される。この波長変換層７２は、例えば、ＹＡＧ蛍光体を含む波長変換素子であり、当該波長変換層７２に入射された青色光ＢＬｓを蛍光ＹＬに変換する。
また、基材７１は、当該基材７１を光入射側から見た場合に、波長変換層７２より内側に位置する第１領域７３と、当該波長変換層７２より外側に位置する領域である第２領域７４を有する。
なお、図２及び図３においては、図示を省略するが、当該波長変換層７２と基材７１との間には、反射層が形成されている。
【００４１】
本発明の回転装置は、モーター７５により構成され、回転軸Ｐを中心に基材７１を図４の回転方向Ｓ１に回転させる機能を有する。具体的に、モーター７５の一部は、基材７１の開口部７１３に嵌めこまれ、当該モーター７５の駆動により基材７１が回転する。これにより、ピックアップ光学系６１から出射された青色光ＢＬｓは、回転状態の基材７１における波長変換層７２に入射され、蛍光ＹＬに変換されて上記反射層により反射される。
なお、基材７１の回転軸は、上記回転軸Ｐと同一である。
【００４２】
［貫通孔の構成］
図４は、波長変換装置７の断面図である。
基材７１における第１領域７３には、図３及び図４に示すように、複数の貫通孔７１４が形成されている。この複数の貫通孔７１４は、環状に形成された波長変換層７２において環状の中心側の縁である内縁に沿うように一定の間隔にて配置され、基材７１をモーター７５の回転軸Ｐに沿う方向に貫通している。また、複数の貫通孔７１４は、図４に示すように、回転軸Ｐに沿う方向に対して傾斜している。具体的に、複数の貫通孔７１４における第１面７１１側の開口７１４１は、第２面７１２側の開口７１４２よりも波長変換層７２側に配置されている。換言すると、複数の貫通孔７１４は、第１面７１１から第２面７１２に向かうに従って、波長変換層７２側、すなわち、回転軸Ｐから離れる方向に傾斜している。
【００４３】
［冷却装置の構成］
図５は、蛍光反射装置６（冷却装置９）を示す概略図である。なお、図５においては、蛍光反射装置６を構成するピックアップ光学系６１の図示を省略している。
蛍光反射装置６は、上述したように、ピックアップ光学系６１、波長変換装置７及び冷却装置９を備える。
これらのうち、冷却装置９は、ダクト９１及び冷却ファン９２を備える。ダクト９１は、波長変換装置７を収納する機能を有する。具体的に、波長変換装置７は、ダクト９１の延出方向と上記回転軸Ｐに沿う方向が略一致するようにダクト９１内に配置され、基材７１の端とダクト９１の側壁とは、若干の隙間Ｇ１，Ｇ２を開けた状態で配置される。
【００４４】
ダクト９１は、略Ｌ字状に形成され、第１開口部９１１、第２開口部９１２及び第３開口部９１３を備える。
第１開口部９１１は、Ｌ字状のダクト９１の一方の端部に形成され、当該第１開口部９１１は、ピックアップ光学系６１に対向する位置に形成される。また、第２開口部９１２は、上記ダクト９１の他方の端部に形成され、当該第２開口部９１２に対向する位置には、冷却ファン９２が配置される。
第３開口部９１３は、外装筐体２内の冷却気体を当該ダクト９１内に流入させる機能を有する。この第３開口部９１３は、ピックアップ光学系６１が配置される方向とは異なる方向に設けられている。例えば、図５に示すように、第３開口部９１３は、ダクト９１内に配置される波長変換装置７の回転軸Ｐに沿う方向に略直交する方向に設けられている。
なお、詳しくは後述するが、冷却ファン９２の吸気面９２１と第２開口部９１２とは対向する位置に配置されているので、当該冷却ファン９２の駆動により、第１開口部９１１及び第３開口部９１３から第２開口部９１２に向けて冷却気体が流通する。
【００４５】
冷却ファン９２は、ダクト９１内の冷却気体を流通させて波長変換装置７を冷却する冷却装置（吸引装置）であり、当該波長変換装置７に供給された冷却気体を吸引し、ダクト９１外に吐出する。この冷却ファン９２は、波長変換装置７における基材７１の側面側、すなわち、基材７１から見て回転軸Ｐに略直交する方向に配置されている。
また、冷却ファン９２の吸気面９２１は、図５に示すように、ダクト９１内に配置される波長変換装置７に対向するように配置されている。このため、冷却ファン９２が駆動すると、ダクト９１内の冷却気体は、吸気面９２１から排気面９２２側に流れる。
なお、この冷却ファン９２は、軸流ファンにより構成されている。しかしながら、これに限らず、冷却ファン９２は、シロッコファンにより構成されていてもよい。
【００４６】
［波長変換装置に対する冷却気体の流れ］
まず、波長変換装置７のモーター７５が駆動されると、当該モーター７５の駆動により基材７１が回転する。この状態において、冷却ファン９２が駆動すると、第１開口部９１１及び第３開口部９１３から冷却気体がダクト９１内に流入し、波長変換装置７に供給される。この波長変換装置７に供給された冷却気体は、回転軸Ｐから離れる方向に波長変換装置７の基材７１の表面に沿って流通し、基材７１の第１面７１１及び波長変換層７２を冷却する。この基材７１の表面に沿って流通した冷却気体の一部は、上記隙間Ｇ１，Ｇ２を介して第２開口部９１２に向けて流通する。
また、上記隙間Ｇ１，Ｇ２を介して第２開口部９１２に流通した冷却気体以外の冷却気体は、基材７１に設けられた複数の貫通孔７１４を介して第２開口部９１２に流通する。このように、複数の貫通孔７１４及び上記隙間Ｇ１，Ｇ２を介して冷却気体が流通し、第２開口部９１２から波長変換装置７を冷却した冷却気体が冷却ファン９２の吸気面９２１により吸引される。そして、吸気面９２１から吸引された冷却気体は、冷却ファン９２の排気面９２２から外装筐体２外に排出される。
【００４７】
［第１実施形態の効果］
本実施形態に係るプロジェクター１は、以下の効果を有する。
基材７１をモーター７５の回転軸Ｐに沿う方向に貫通する貫通孔７１４が形成されているので、モーター７５の駆動により基材が回転すると、冷却気体が当該貫通孔７１４を流通して、当該貫通孔７１４の端縁、ひいては、基材７１を効率よく冷却できる。また、上記貫通孔７１４は、波長変換層７２の内縁に沿って配置されていることから、波長変換層７２の内縁近傍を効率よく冷却できるので、波長変換層７２を効率よく冷却できる。従って、基材７１を効率よく冷却できることから、当該基材７１に位置する波長変換層７２を効率よく冷却でき、熱による波長変換装置７の波長変換効率の低下を抑制できる。
【００４８】
基材７１の波長変換層７２の内縁に沿って当該基材７１を上記回転軸Ｐに沿う方向に貫通する複数の貫通孔７１４が形成されているので、例えば、基材７１に１つの貫通孔が形成されている場合に比べて、複数の貫通孔７１４を流通する冷却気体の流量を多くできる。従って、波長変換装置７の波長変換効率の低下をより抑制できる。
【００４９】
また、複数の貫通孔７１４が上記モーター７５による基材７１の回転軸Ｐに沿う方向に対して傾斜しているので、当該複数の貫通孔７１４が回転軸Ｐに沿う方向に対して傾斜していない場合に比べて、当該複数の貫通孔７１４の表面積を大きくできる。これによれば、冷却気体が複数の貫通孔７１４を流通する際に基材７１が冷却される領域を拡大できるので、波長変換層７２をより効率よく冷却できる。
【００５０】
更に、複数の貫通孔７１４が第１面７１１から第２面７１２に向かうに従って波長変換層７２側に傾斜しているので、波長変換層７２近傍の領域に複数の貫通孔７１４を形成できることから、基材７１における波長変換層７２近傍の領域に冷却気体を確実に流通させることができる。従って、基材７１における波長変換層７２の冷却効率を更に高めることができる。
【００５１】
また、波長変換装置７の波長変換効率の低下を抑制できるので、波長変換層７２によって生じる蛍光光の光量の低下を抑制でき、アレイ光源４１１からの光の利用効率を向上させることができる。従って、上記波長変換装置７を備えた照明装置３１は、信頼性が高く、温度影響を受けない安定した拡散特性及び位相差特性を得ることができるので、当該照明装置３１、ひいてはプロジェクター１の信頼性及び安定性を高くできる。
【００５２】
更に、波長変換装置７を冷却した冷却気体を冷却ファン９２により吸気するので、確実に冷却気体が波長変換装置７の複数の貫通孔７１４を流通する。これによれば、波長変換装置７ひいては、照明装置３１を確実に冷却できる。
【００５３】
［第２実施形態］
次に、本発明の第２実施形態について説明する。
本実施形態に係るプロジェクターは、上記第１実施形態に係るプロジェクター１と略同一の構成を備える他、上記プロジェクター１と波長変換装置の基材の形状が一部異なる。具体的に、上記プロジェクター１の波長変換装置７は、複数の貫通孔７１４を有する基材７１を備えるのに対し、本実施形態の波長変換装置は、上記複数の貫通孔７１４とは異なる貫通孔を有する基材を備えている点で相違する。
なお、以下の説明では、既に説明した部分と同一又は略同一である部分については、同様の符号を付して説明を省略する。
【００５４】
図６は、本実施形態に係るプロジェクターの波長変換装置を示す断面図である。
波長変換装置７Ａは、図６に示すように、基材７１Ａ及びモーター７５を備える。
基材７１Ａは、略円板状に形成され、当該基材７１Ａにおける第１面７１１Ａの波長変換層７２の外側に位置する第２領域７４Ａには、複数の貫通孔７１Ａ１が形成されている。この複数の貫通孔７１Ａ１は、環状に形成された波長変換層７２において環状の中心側とは反対側の縁である外縁に沿うように一定の間隔にて配置され、基材７１Ａをモーター７５の回転軸Ｐに沿う方向に貫通している。また、複数の貫通孔７１Ａ１は、図６に示すように、回転軸Ｐに沿う方向に対して傾斜している。具体的に、複数の貫通孔７１Ａ１における第２面７１２Ａ側の開口７１Ａ３は、第１面７１１Ａ側の開口７１Ａ２よりも波長変換層７２側に配置されている。換言すると、複数の貫通孔７１Ａ１は、第１面７１１Ａから第２面７１２Ａに向かうに従って、波長変換層７２側、すなわち、回転軸Ｐに近接する方向に傾斜している。
【００５５】
［第２実施形態の効果］
本実施形態に係るプロジェクターは、上記第１実施形態に係るプロジェクター１と同様の効果を奏する他、以下の効果を奏する。
ここで、モーター７５の駆動により基材７１Ａが回転すると、回転軸Ｐから離れる方向に基材７１Ａの表面に沿って流通し、基材７１Ａの第１面７１１及び波長変換層７２を冷却する。このため、例えば、複数の貫通孔７１Ａ１が第１領域７３Ａに形成されている場合、波長変換層７２の表面を冷却気体が流通することなく、当該冷却気体が当該複数の貫通孔７１Ａ１を流通する可能性がある。
これに対し、本実施形態では、複数の貫通孔７１Ａ１が波長変換層７２より外側の第２領域７４Ａに形成されているので、上記波長変換層７２を冷却した冷却気体が複数の貫通孔７１Ａ１を流通するので、冷却気体により波長変換層７２を確実に冷却し、かつ、複数の貫通孔７１Ａ１を上記冷却気体が流通するので、確実に基材７１Ａを冷却できる。
【００５６】
［第３実施形態］
次に、本発明の第３実施形態について説明する。
本実施形態に係るプロジェクターは、上記第１実施形態に係るプロジェクター１と略同一の構成を備える他、上記プロジェクター１と波長変換装置の基材の形状が一部異なる。具体的に、上記プロジェクター１の波長変換装置７は、複数の貫通孔７１４を有する基材７１を備えるのに対し、本実施形態の波長変換装置は、上記複数の貫通孔７１４とは異なる貫通孔を有する基材を備えている点で相違する。
なお、以下の説明では、既に説明した部分と同一又は略同一である部分については、同様の符号を付して説明を省略する。
【００５７】
図７は、本実施形態に係るプロジェクターの波長変換装置７Ｂを光入射側から見た平面図である。
波長変換装置７Ｂは、図７に示すように、基材７１Ｂ及びモーター７５を備える。
基材７１Ｂにおける第１領域７３Ｂには、複数の貫通孔７１Ｂ１が形成されている。この複数の貫通孔７１Ｂ１は、環状に形成された波長変換層７２の内縁に沿うように一定の間隔にて配置され、基材７１Ｂをモーター７５の回転軸Ｐに沿う方向に貫通している。また、複数の貫通孔７１Ｂ１は、図７に示すように、回転軸Ｐに沿う方向に対して傾斜し、かつ、回転軸Ｐ（基材７１Ｂ）の円周方向にも傾斜している。具体的に、複数の貫通孔７１Ｂ１における第１面７１１Ｂ側の開口７１Ｂ２は、第２面７１２Ｂ側の開口７１Ｂ３よりも波長変換層７２側で、かつ、基材７１Ｂの回転方向Ｓ１とは反対方向側に配置されている。換言すると、複数の貫通孔７１Ｂ１は、第１面７１１Ｂから第２面７１２Ｂに向かうに従って回転軸Ｐから離れる方向（波長変換層７２側）で、かつ、上記回転方向Ｓ１とは反対方向に傾斜している。
【００５８】
［第３実施形態の効果］
本実施形態に係るプロジェクターは、上記第１実施形態に係るプロジェクター１と同様の効果を奏する他、以下の効果を奏する。
複数の貫通孔７１Ｂ１が上記回転軸Ｐを中心とする円周方向にも傾斜しており、当該円周方向と基材の回転方向Ｓ１が反対方向であるため、基材７１Ｂがファンにおける羽根のように機能して、当該基材７１Ｂの回転時に基材７１Ｂ近傍の冷却気体を貫通孔７１Ｂ１において掻き出すことができる。これによれば、確実に複数の貫通孔７１Ｂ１内を冷却気体が流通するので、確実に波長変換層７２を効率よく冷却できる。
【００５９】
［第４実施形態］
次に、本発明の第４実施形態について説明する。
本実施形態に係るプロジェクターは、上記第１実施形態に係るプロジェクター１と略同一の構成を備える他、上記プロジェクター１と波長変換装置の基材の形状が一部異なる。具体的に、上記プロジェクター１の波長変換装置７は、複数の貫通孔７１４を有する基材７１を備えるのに対し、本実施形態の波長変換装置は、１つの貫通孔を有する基材を備えている点で相違する。
なお、以下の説明では、既に説明した部分と同一又は略同一である部分については、同様の符号を付して説明を省略する。
【００６０】
図８は、本実施形態に係るプロジェクターの波長変換装置７Ｃを光入射側から見た平面図である。
波長変換装置７Ｃは、図８に示すように、基材７１Ｃ及びモーター７５を備える。
基材７１Ｃにおける第１領域７３Ｃには、１つの貫通孔７１Ｃ１が形成されている。この貫通孔７１Ｃ１は、環状に形成された波長変換層７２の内縁に沿うＣ字状に形成され、基材７１Ｃをモーター７５の回転軸Ｐに沿う方向に貫通している。また、貫通孔７１Ｃ１は、図８に示すように、回転軸Ｐに沿う方向に対して傾斜している。具体的に、貫通孔７１Ｃ１における第１面７１１Ｃ側の開口７１Ｃ２は、第２面７１２Ｃ側の開口７１Ｃ３よりも波長変換層７２側に配置されている。換言すると、貫通孔７１Ｃ１は、第１面７１１Ｃから第２面７１２Ｃに向かうに従って回転軸Ｐから離れる方向（波長変換層７２側）に傾斜している。
【００６１】
［第４実施形態の効果］
本実施形態に係るプロジェクターは、上記第１実施形態に係るプロジェクター１と同様の効果を奏する他、以下の効果を奏する。
基材７１Ｃの波長変換層７２の内縁に沿った形状（略Ｃ字状）の貫通孔７１Ｃ１が当該基材７１Ｃに形成されているので、モーター７５の駆動により基材７１Ｃが回転すると、冷却気体が上記貫通孔７１Ｃ１を流通する。これにより、基材７１Ｃの波長変換層７２の近傍を効率よく冷却できるので、波長変換層７２を効率よく冷却できる。従って、波長変換装置７Ｃの波長変換効率の低下をより抑制できる。
【００６２】
［実施形態の変形］
本発明は、上記各実施形態に限定されるものではなく、本発明の目的を達成できる範囲での変形、改良等は本発明に含まれるものである。
上記各実施形態では、基材７１，７１Ａ〜７１Ｃは、アルミニウムにより構成されていることとした。しかしながら、本発明は、これに限らない。例えば、透過型の波長変換装置であれば、当該基材は、ガラス等の透光性部材により構成されることとすればよい。
上記各実施形態では、波長変換層７２は、環状に形成されることとした。しかしながら、本発明は、これに限らない。例えば、円弧状の波長変換層が一定の間隔を持って環状に配置される構成であってもよい。
【００６３】
上記各実施形態では、複数の貫通孔７１４，７１Ａ１，７１Ｂ１及び貫通孔７１Ｃ１は、回転軸Ｐに対して傾斜していることとした。しかしながら、本発明は、これに限らない。例えば、複数の貫通孔７１４，７１Ａ１，７１Ｂ１及び貫通孔７１Ｃ１は、上記回転軸Ｐに沿う方向、すなわち、回転軸Ｐに対して傾斜していなくてもよい。この場合であっても、上記各実施形態と同様の効果を奏することができる。
また、上記第１〜第３実施形態において、複数の貫通孔７１４，７１Ａ１，７１Ｂ１が渦巻状に形成されていてもよい。この場合においても、上記第１〜第３実施形態と同様の効果を奏することができる。
【００６４】
上記第１実施形態では、複数の貫通孔７１４は、第１面７１１から第２面７１２に向かうに従って、回転軸Ｐから離れる方向（波長変換層７２側）に傾斜していることとした。しかしながら、本発明は、これに限らない。例えば、複数の貫通孔７１４が第１面７１１から第２面７１２に向かうに従って、回転軸Ｐに近接する方向に傾斜していることとしてもよい。
上記第２実施形態では、複数の貫通孔７１Ａ１は、第１面７１１Ａから第２面７１２Ａに向かうに従って、回転軸Ｐに近接する方向（波長変換層７２側）に傾斜していることとした。しかしながら、本発明は、これに限らない。例えば、複数の貫通孔７１Ａ１が第１面７１１Ａから第２面７１２Ａに向かうに従って、回転軸Ｐから離れる方向に傾斜していてもよい。
【００６５】
上記第３実施形態では、複数の貫通孔７１Ｂ１は、第１面７１１Ｂから第２面７１２Ｂに向かうに従って、回転軸Ｐに沿う方向に対して、当該回転軸Ｐに近接する方向（波長変換層７２側）かつ回転軸Ｐの円周方向（上記回転方向Ｓ１とは反対方向）に傾斜していることとした。しかしながら、本発明は、これに限らない。例えば、複数の貫通孔７１Ｂ１は、第１面７１１Ｂから第２面７１２Ｂに向かうに従って、回転軸Ｐの円周方向にのみ傾斜していることとしてもよい。また、複数の貫通孔７１Ｂ１は、回転方向Ｓ１とは反対方向側に傾斜していることとしたが、例えば、回転方向Ｓ１と同方向側に傾斜していてもよい。
【００６６】
上記第４実施形態では、貫通孔７１Ｃ１は、略Ｃ字状であることとした。しかしながら、本発明は、これに限らない。例えば、貫通孔７１Ｃ１は、Ｕ字状に形成されてもよいし、円弧状に形成されてもよい。すなわち、貫通孔７１Ｃ１は、波長変換層７２の内縁及び外縁の少なくとも一方に沿う形状であれば、どのような形状であってもよい。
【００６７】
上記第１、第３及び第４実施形態では、複数の貫通孔７１４，７１Ｂ１及び貫通孔７１Ｃ１は、基材７１，７１Ｂ，７１Ｃの第１領域７３，７３Ｂ，７３Ｃに設けられることとした。しかしながら、本発明は、これに限らない。例えば、複数の貫通孔７１４，７１Ｂ１及び７１Ｃ１は、基材７１，７１Ｂ，７１Ｃの第２領域７４，７４Ｂ，７４Ｃに設けられることとしてもよい。
上記第２実施形態では、複数の貫通孔７１Ａ１は、基材７１Ａの第２領域７４Ａに設けられることとした。しかしながら、本発明は、これに限らない。例えば、複数の貫通孔７１Ａ１は、基材７１Ａの第１領域７３Ａに設けられることとしてもよい。
すなわち、基材７１，７１Ａ〜７１Ｃの第１領域７３，７３Ａ〜７３Ｃに複数の貫通孔７１４，７１Ｂ１及び貫通孔７１Ｃ１のいずれかを設け、第２領域７４，７４Ａ〜７４Ｃに複数の貫通孔７１Ａ１を設けることとしてもよい。
【００６８】
上記各実施形態では、冷却装置９は、冷却ファン９２を備えることとした。しかしながら、本発明は、これに限らない。例えば、冷却装置９は、冷却ファン９２を備えなくてもよい。このような場合であっても、モーター７５の駆動により、基材７１，７１Ａ，７１Ｂが回転することにより、冷却気体が回転軸Ｐから離れる方向に当該基材７１，７１Ａ，７１Ｂの第１面７１１，７１１Ａ，７１１Ｂの表面に沿って流通し、当該冷却気体の一部が複数の貫通孔７１４，７１Ａ１，７１Ｂ１を流通する。これによれば、冷却ファン９２を備えなくても、上記各実施形態と同様の効果を奏することができる。
特に、第３実施形態の基材７１Ｂに設けられた複数の貫通孔７１Ｂ１は、回転軸Ｐに対して傾斜し、かつ、基材７１Ｂの円周方向にも傾斜しているので、上記第１及び第２実施形態の基材７１，７１Ａの複数の貫通孔７１４，７１Ａ１よりも、冷却気体を掻くことができ、より多くの冷却気体が当該複数の貫通孔７１Ｂ１を流通する。従って、冷却ファン９２を備えていない場合であっても、基材７１Ｂ及び波長変換層７２を確実に冷却できる。
【００６９】
上記各実施形態では、冷却装置９の冷却ファン９２は、ダクト９１内の冷却気体を吸気することとした。しかしながら、本発明は、これに限らない。例えば、冷却ファン９２の排気面９２２をダクト９１の第２開口部９１２に対向して配置してもよい。また、冷却ファン９２の排気面９２２を第３開口部９１３に対向する位置に配置してもよい。これによれば、冷却ファン９２から外装筐体２内の冷却気体がダクト９１内に流通し、当該ダクト９１内に配置される波長変換装置７，７Ａ〜７Ｃに冷却気体を流通させることができる。すなわち、当該構成においても、上記各実施形態と同様の効果を奏することができる。
【００７０】
上記各実施形態では、冷却装置９のダクト９１は、略Ｌ字状に形成されることとした。しかしながら、本発明は、これに限らない。例えば、ダクト９１は直状に形成されてもよく、この場合、波長変換装置７の第２面７１２と冷却ファン９２の吸気面９２１とが対向するように当該冷却ファン９２を配置すればよい。
また、上記ダクト９１は、第３開口部９１３を備えることとした。しかしながら、本発明は、これに限らない。例えば、ダクト９１は、第３開口部９１３を備えなくてもよい。
【００７１】
上記各実施形態では、基材７１，７１Ａ，７１Ｂに複数の貫通孔７１４，７１Ａ１，７１Ｂ１を設けることとした。しかしながら、本発明は、これに限らない。例えば、これら複数の貫通孔７１４，７１Ａ１，７１Ｂ１のいずれかを拡散反射装置８２の基材８２１に設けることとしてもよい。これによれば、拡散反射装置８２の基材８２１及び拡散反射層８２２を効率よく冷却できる。
【００７２】
上記各実施形態では、光変調装置として透過型の光変調装置を用いることとした。しかしながら、本発明は、これに限らない。例えば、光変調装置として反射型の光変調装置を用いてもよい。この場合、色分離装置３２を設けることなく、当該色合成装置３５により、色分離及び色合成を実行するようにしてもよい。
【００７３】
上記各実施形態では、プロジェクター１は、３つの光変調装置３４（３４Ｒ，３４Ｇ，３４Ｂ）を備えるとしたが、本発明はこれに限らない。例えば、光変調装置は、１つでもよいし、２つでもよいし、４つ以上でもよい。
また、光変調装置として、デジタルマイクロミラーデバイス等、液晶パネル以外の光変調装置を用いてもよい。
【符号の説明】
【００７４】
１…プロジェクター、３１…照明装置、３４…光変調装置、３６…投射光学装置、４１１１…半導体レーザー（光源）、７，７Ａ，７Ｂ，７Ｃ…波長変換装置、７１，７１Ａ，７１Ｂ，７１Ｃ…基材、７１１，７１１Ａ，７１１Ｂ，７１１Ｃ…第１面、７１２，７１２Ａ，７１２Ｂ，７１２Ｃ…第２面、７１３…開口部、７１４，７１Ａ１，７１Ｂ１…複数の貫通孔（貫通孔）、７１Ｃ１…貫通孔、７２…波長変換層、７５…モーター（回転装置）、７３…第１領域、７４…第２領域、９…冷却装置。
【図１】
2017116629.tif 000003
【図２】
2017116629.tif 000004
【図３】
2017116629.tif 000005
【図４】
2017116629.tif 000006
【図５】
2017116629.tif 000007
【図６】
2017116629.tif 000008
【図７】
2017116629.tif 000009
【図８】
2017116629.tif 000010